(57)【要約】      （修正有）【課題】使用者の好みに合わせてケースのデザインを変更することができる人形収容ケースを提供する。【解決手段】人形収容ケースは、人形を収容する略直方体形状のケース本体１０と、ケース本体１０の前面に着脱可能に取り付けられる外部装飾板２０と、ケース本体１０の内面を覆うように、ケース本体１０に嵌め込まれる内部装飾体とから構成されている。ケース本体１０は、ファスナ１１によって前面側を開閉することができるようになっており、前面には、収容した人形を視認可能な透明な窓１２が形成されている。外部装飾板２０は、ケース本体１０の前面に取り付けたときに透明な窓１２を塞がないように、窓１２に対応する位置に楕円形状の開口２１が形成されており、内部装飾体は、ケース本体１０に嵌め込んだ状態でケース本体１０の人形収容空間内に露出する面に、人形の収容空間に特定のイメージを付与する意匠表示が施されている。【選択図】図３
0003230193.tif 000002
【実用新案登録請求の範囲】
【請求項１】
人形を収容するケース本体が、その前面に、収容した人形を視認可能な透明な窓を有する人形収容ケースにおいて、
前記ケース本体の前面に着脱可能に取り付けられる意匠が異なる交換可能な複数種類の外部装飾板を備え、
前記外部装飾板は、前記ケース本体の前面に取り付けたときに前記窓を塞がないように、開口が形成されていることを特徴とする人形収容ケース。
【請求項２】
前記ケース本体の内面を覆うように、前記ケース本体に嵌め込まれる意匠が異なる交換可能な複数種類の内部装飾体を備えている請求項１に記載の人形収容ケース。
【考案の詳細な説明】
【技術分野】
【０００１】
この考案は、キャラクターのフィギュア等を収容する人形収容ケース、特に、ケースのデザインを変更可能な人形収容ケースに関する。
【背景技術】
【０００２】
この種の人形収容ケースとしては、例えば、前面がファスナによって開閉可能な直方体状のものや、天面がファスナによって開閉可能な有底円筒状のものがあり、収容した人形を視認することができるように、前面や周面に透明の窓が形成されている。
【先行技術文献】
【特許文献】
【０００３】
【特許文献１】実開平７−１３３９６号公報
【考案の概要】
【考案が解決しようとする課題】
【０００４】
しかしながら、上述したような人形収容ケースは、デザインが予め定められており、使用者の好みによってデザインを変更することができないといった問題がある。
【０００５】
そこで、この考案の課題は、使用者の好みに合わせてケースのデザインを変更することができる人形収容ケースを提供することにある。
【課題を解決するための手段】
【０００６】
上記の課題を解決するため、請求項１に係る考案は、人形を収容するケース本体が、その前面に、収容した人形を視認可能な透明な窓を有する人形収容ケースにおいて、前記ケース本体の前面に着脱可能に取り付けられる意匠が異なる交換可能な複数種類の外部装飾板を備え、前記外部装飾板は、前記ケース本体の前面に取り付けたときに前記窓を塞がないように、開口が形成されていることを特徴とする人形収容ケースを提供するものである。
【０００７】
また、請求項２に係る考案は、請求項１に係る考案の人形収容ケースにおいて、前記ケース本体の内面を覆うように、前記ケース本体に嵌め込まれる意匠が異なる交換可能な複数種類の内部装飾体を備えていることを特徴としている。
【考案の効果】
【０００８】
以上のように、請求項１に係る考案の人形収容ケースは、ケース本体の前面に着脱可能に取り付けられる意匠が異なる交換可能な複数種類の外部装飾板を備えているので、使用者が選択した外部装飾板をケース本体の前面に取り付けることで、使用者の好みや気分に応じたデザインに変更することができる。
【０００９】
また、請求項２に係る考案の人形収容ケースは、ケース本体の内面を覆うように、ケース本体に嵌め込まれる意匠が異なる交換可能な複数種類の内部装飾体を備えているので、使用者が選択した内部装飾体をケース本体に嵌め込むことで、人形の収容空間を使用者の好みや気分に応じたデザインに変更することができる。
【図面の簡単な説明】
【００１０】
【図１】この考案に係る人形収容ケースの一実施形態を示す斜視図である。
【図２】同上の人形収容ケースのケース本体を開けた状態を示す斜視図である。
【図３】同上のケース本体から外部装飾板を取り外した状態を示す斜視図である。
【図４】同上のケース本体を開けて内部装飾体を取り外した状態を示す斜視図である。
【図５】（ａ）、（ｂ）は同上の人形収容ケースにおける交換可能な外部装飾板の一例を示す正面図である。
【考案を実施するための形態】
【００１１】
以下、実施の形態について図面を参照して説明する。図１は、本考案の一実施形態である人形収容ケース１を、前面側を上にして寝かせた状態を示している。この人形収容ケース１は、キャラクターのフィギュア等の人形を収容するものであり、図１〜図４に示すように、人形を収容する、合成樹脂シートによって形成された略直方体形状のケース本体１０と、ケース本体１０の前面に着脱可能に取り付けられる外部装飾板２０と、ケース本体１０の内面を覆うように、ケース本体１０に嵌め込まれる内部装飾体３０とから構成されている。
【００１２】
前記ケース本体１０は、図１及び図２に示すように、ファスナ１１によって前面側を開閉することができるようになっており、前面には、図３に示すように、収容した人形を視認可能な略長方形状の透明な窓１２が形成されていると共に、その四隅に円形状のマグネットシート１３が埋設されている。また、両側部の外面には、持ち運び用のストラップを取り付ける環状の取付部材１４が装着されている。
【００１３】
前記外部装飾板２０は、図１及び図３に示すように、ケース本体１０の前面を略覆うことができる略長方形状を有しており、ケース本体１０の前面に取り付けたときに透明な窓１２を塞がないように、窓１２に対応する位置に楕円形状の開口２１が形成されている。
【００１４】
また、外部装飾板２０の四隅には、円形状のマグネットシート２２が埋設されており、これらのマグネットシート２２が、ケース本体１０の前面の四隅に埋設されたマグネットシート１３に吸着されることで、外部装飾板２０がケース本体１０の前面に着脱可能に取り付けられるようになっている。
【００１５】
前記内部装飾体３０は、図２及び図４に示すように、ケース本体１０の後内面、両側内面及び上内面にそれぞれ対応する、後面板３１、側面板３２、３２及び上面板３３が折目３４、３５、３６を介して連設されたものであり、図２に示すように、側面板３２、３２及び上面板３３を折目３４、３５、３６で折り曲げてケース本体１０に嵌め込むと、ケース本体１０の後内面、両側内面及び上内面が、内部装飾体３０の後面板３１、側面板３２、３２及び上面板３３によって覆われるようになっている。
【００１６】
また、ケース本体１０に嵌め込んだ内部装飾体３０の人形収容空間内に露出する面には、人形の収容空間に特定のイメージを付与する意匠表示が施されており、ケース本体１０に内部装飾体３０を嵌め込むことによって、人形の収容空間に装飾が施されるようになっている。
【００１７】
この人形収容ケース１では、例えば、図５（ａ）、（ｂ）に示すように、形状や模様等の意匠が異なる外部装飾板２０Ａ、２０Ｂが用意されており、この人形収容ケース１の使用者が選択した外部装飾板２０、２０Ａまたは２０Ｂをケース本体１０の前面に取り付けることで、使用者の好みや気分に応じたデザインに変更することができるようになっている。
【００１８】
また、内部装飾体３０についても、意匠表示が異なるものが用意されており、使用者が選択した内部装飾体３０をケース本体１０に嵌め込むことで、人形の収容空間を使用者の好みや気分に応じたデザインに変更することができる。
【００１９】
なお、上述した実施形態では、外部装飾板２０、２０Ａ、２０Ｂをケース本体１０の前面に磁気吸着させることで、ケース本体の前面に着脱可能に取り付けているが、これに限定されるものではなく、面ファスナやスナップボタン等を用いて着脱可能に取り付けることも可能である。
【００２０】
また、上述した実施形態では、内部装飾体３０がケース本体１０の後内面、両側内面及び上内面をそれぞれ覆うようになっているが、これに限定されるものではなく、例えば、ケース本体１０の後内面及び両側内面または後内面だけを覆うものであってもよく、後内面、両側内面、上内面及び下内面を覆うものであってもよい。
【産業上の利用可能性】
【００２１】
本考案は、人形を収容する場合に利用することができる。
【符号の説明】
【００２２】
１  人形収容ケース
１０  ケース本体
１１  ファスナ
１２  窓
１３  マグネットシート
１４  取付部材
２０、２０Ａ、２０Ｂ  外部装飾板
２１  開口
２２  マグネットシート
３０  内部装飾体
３１  後面板
３２  側面板
３３  上面板
３４、３５、３６  折目
【図１】
0003230193.tif 000003
【図２】
0003230193.tif 000004
【図３】
0003230193.tif 000005
【図４】
0003230193.tif 000006
【図５】
0003230193.tif 000007